(57)【要約】【課題】電源装置を適切に管理できるサーバを提供する。【解決手段】電源装置２０に通信ネットワーク３０を介して接続されたサーバ１０であって、通信ネットワーク３０を介して、電源装置２０へ電源装置２０の位置に関連する情報の取得を要求する信号を送信するサーバ側送信部１２と、通信ネットワーク３０を介して、電源装置２０から当該位置に関連する情報を取得するサーバ側取得部１１と、を備え、サーバ側取得部１１は、さらに、電源装置２０の識別情報が関連付けられた地図情報を取得し、取得した当該位置に関連する情報と地図情報とを比較して、当該位置に関連する情報を有する電源装置２０の識別情報を特定する。【選択図】図４
2019126256.tif 000002
【特許請求の範囲】
【請求項１】
電源装置に通信ネットワークを介して接続されたサーバであって、
前記通信ネットワークを介して、前記電源装置へ前記電源装置の位置に関連する情報の取得を要求する信号を送信するサーバ側送信部と、
前記通信ネットワークを介して、前記電源装置から前記位置に関連する情報を取得するサーバ側取得部と、を備え、
前記サーバ側取得部は、さらに、前記電源装置の識別情報が関連付けられた地図情報を取得し、取得した前記位置に関連する情報と前記地図情報とを比較して、前記位置に関連する情報を有する電源装置の識別情報を特定する
サーバ。
【請求項２】
前記サーバ側取得部は、前記位置に関連する情報として、前記電源装置の設置位置及び姿勢の少なくとも一方を示す情報を取得する
請求項１に記載のサーバ。
【請求項３】
前記サーバ側取得部は、前記位置に関連する情報として、前記電源装置の設置位置及び姿勢の少なくとも一方の、変化量及び変化速度の少なくとも一方を示す情報を取得する
請求項１または２に記載のサーバ。
【請求項４】
前記サーバ側取得部は、前記位置に関連する情報として、前記電源装置の設置位置及び姿勢の少なくとも一方の、変化量及び変化速度の少なくとも一方が所定の閾値を超えたか否かを示す情報を取得する
請求項１〜３のいずれか１項に記載のサーバ。
【請求項５】
前記サーバ側取得部は、前記変化量及び変化速度の少なくとも一方が前記閾値を超えたことを示す情報を取得した場合に、警報を発信する
請求項４に記載のサーバ。
【請求項６】
前記サーバ側取得部は、ＧＰＳ（Global Positioning System）を用いて得られる、前記位置に関連する情報を取得する
請求項１〜５のいずれか１項に記載のサーバ。
【請求項７】
前記電源装置は、無停電電源供給装置である
請求項１〜６のいずれか１項に記載のサーバ。
【請求項８】
前記サーバ側取得部は、前記通信ネットワークを介して、前記電源装置から、定期的に前記位置に関連する情報を取得する
請求項１〜７のいずれか１項に記載のサーバ。
【請求項９】
前記サーバ側取得部は、前記通信ネットワークを介して、前記電源装置から、前記電源装置の製造時期を含む機器情報を取得する
請求項１〜８のいずれか１項に記載のサーバ。
【請求項１０】
請求項１〜９のいずれか１項に記載のサーバと、
前記サーバに通信ネットワークを介して接続された電源装置と
を備える電源装置管理システム。
【発明の詳細な説明】
【技術分野】
【０００１】
本発明は、サーバ、及び、電源装置を管理する電源装置管理システムに関する。
【背景技術】
【０００２】
従来、電源装置を管理する電源装置管理システムが知られている。例えば、特許文献１には、バッテリ（電源装置）の劣化状態を監視するバッテリ劣化監視システムが開示されている。
【先行技術文献】
【特許文献】
【０００３】
【特許文献１】特開２００７−３３３３９３号公報
【発明の概要】
【発明が解決しようとする課題】
【０００４】
上記従来のシステムでは、電源装置の劣化状態を監視しているものの、電源装置の位置に起因する不具合を把握できないため、電源装置を適切に管理できないことがある。
【０００５】
本発明は、電源装置を適切に管理できるサーバ、及び、電源装置管理システムを提供することを目的とする。
【課題を解決するための手段】
【０００６】
サーバは、電源装置に通信ネットワークを介して接続されたサーバであり、前記通信ネットワークを介して、前記電源装置へ前記電源装置の位置に関連する情報の取得を要求する信号を送信するサーバ側送信部と、前記通信ネットワークを介して、前記電源装置から前記位置に関連する情報を取得するサーバ側取得部と、を備え、前記サーバ側取得部は、さらに、前記電源装置の識別情報が関連付けられた地図情報を取得し、取得した前記位置に関連する情報と前記地図情報とを比較して、前記位置に関連する情報を有する電源装置の識別情報を特定する。
【０００７】
電源装置管理システムは、サーバと、前記サーバに通信ネットワークを介して接続された電源装置とを備える。
【０００８】
本発明は、このようなサーバ、及び、電源装置管理システムとして実現することができるだけでなく、サーバ、または、電源装置管理システムが行う特徴的な処理をステップとする方法としても実現できる。本発明は、サーバ、または、電源装置管理システムに含まれる特徴的な処理部を備える集積回路としても実現できる。本発明は、上記方法に含まれる特徴的な処理をコンピュータに実行させるプログラムとして実現したり、当該プログラムが記録されたコンピュータ読み取り可能なＣＤ−ＲＯＭ（Ｃｏｍｐａｃｔ  Ｄｉｓｃ−Ｒｅａｄ  Ｏｎｌｙ  Ｍｅｍｏｒｙ）などの記録媒体として実現することもできる。そのようなプログラムは、ＣＤ−ＲＯＭ等の記録媒体及びインターネット等の伝送媒体を介して流通させることができる。
【発明の効果】
【０００９】
本発明に係るサーバ等によれば、電源装置を適切に管理することができる。
【図面の簡単な説明】
【００１０】
【図１】図１は、電源装置管理システムの概略構成を示す模式図である。
【図２】図２は、電源装置周辺の構成を示す模式図である。
【図３】図３は、電源装置が設置されている状態の一例を示す正面図である。
【図４】図４は、電源装置管理システムが備えるサーバ及び電源装置の機能的な構成を示すブロック図である。
【図５】図５は、電源側記憶部に記憶されている電源データの一例を示す図である。
【図６】図６は、サーバ側記憶部に記憶されている登録データの一例を示す図である。
【図７】図７は、電源装置管理システムが電源装置を管理する処理の一例を示すシーケンス図である。
【図８】図８は、サーバが電源装置の情報を登録し、電源装置を監視する処理の一例を示すフローチャートである。
【図９】図９は、変形例１における電源装置が行う処理の一例を示すフローチャートである。
【図１０】図１０は、変形例２における電源装置が行う処理の一例を示すフローチャートである。
【図１１】図１１は、変形例３における電源装置が行う処理の一例を示すフローチャートである。
【発明を実施するための形態】
【００１１】
電源装置を適切に管理するためには、電源装置が設置されている位置に関する情報を把握しておくことが重要である。しかし、電源装置の位置に関する情報を把握するのが困難な場合がある。例えば、電源装置の設置位置が登録されていても、登録情報が不明確であったり登録情報に誤りがあったりするなど登録情報に不備があれば、電源装置の位置の把握が困難になる。登録情報に不備がなくても、電源装置が屋外に設置されているとき、屋外のどこに設置されているのかの詳細が特定できずに、電源装置の位置の把握が困難になる場合がある。災害等で電源装置の位置が移動したような場合においても、同様である。
【００１２】
しかしながら、上記従来のシステムでは、電源装置の位置に関する情報を把握することが必要との認識がないため、電源装置の劣化状態が分かったとしても、電源装置の位置に起因する不具合を把握することができない場合がある。例えば、電源装置の位置に関する情報を把握できなければ、電源装置をメンテナンスしたり交換したりすることが困難になる。災害等で電源装置が移動したような場合、電源装置がどのような状態にあるのかの把握が困難になる。このように、電源装置を適切に管理できないことがある。
【００１３】
本発明に係る電源装置は、バックアップ用電源として用いられる電源装置であって、前記電源装置の位置に関連する情報を取得する電源側取得部を備える。
【００１４】
電源装置は、電源装置の位置に関連する情報を取得できるため、当該位置に関連する情報を用いて、電源装置を適切に管理できる。
【００１５】
電源装置は、外部電源に接続され、前記外部電源から電力が供給される蓄電素子をさらに備え、前記蓄電素子は、前記外部電源から前記電源装置及び前記電源装置が接続されている外部機器への電力供給が遮断された場合に、前記電源側取得部及び前記外部機器に電力を供給してもよい。
【００１６】
電源装置は、外部電源からの電力供給が遮断された場合でも、電源側取得部及び外部機器に電力を供給できるので、外部機器に電力を供給しつつ、電源装置の位置に関連する情報を継続して取得できる。これにより、電源装置を適切に管理できる。
【００１７】
前記電源側取得部は、前記位置に関連する情報として、前記電源装置の設置位置及び姿勢の少なくとも一方を示す情報を取得してもよい。
【００１８】
電源装置の設置位置を示す情報が取得できれば、電源装置の設置位置が把握できるので、電源装置を容易にメンテナンスしたり交換したりできる。電源装置の姿勢を示す情報が取得できれば、電源装置が傾いたり逆さになったりしているのが把握できるため、電源装置に不具合が生じているか否かの指標とすることができる。これにより、電源装置を適切に管理できる。
【００１９】
前記電源側取得部は、前記位置に関連する情報として、前記電源装置の設置位置及び姿勢の少なくとも一方の、変化量及び変化速度の少なくとも一方を示す情報を取得してもよい。
【００２０】
電源装置の設置位置の変化量を示す情報が取得できれば、電源装置の移動の有無及び移動量が把握できるので、電源装置に不具合が発生したか否か、電源装置の周囲で災害が発生したか否か、当該災害がどの程度の規模か等を判断する指標とすることができる。電源装置の設置位置の変化速度を示す情報、電源装置の姿勢の変化量を示す情報、及び、電源装置の姿勢の変化速度を示す情報が取得できた場合についても、同様である。
【００２１】
前記電源側取得部は、前記位置に関連する情報として、前記電源装置の設置位置及び姿勢の少なくとも一方の、変化量及び変化速度の少なくとも一方が所定の閾値を超えたか否かを示す情報を取得してもよい。
【００２２】
電源装置の設置位置の変化量が所定の閾値を超えたか否かを示す情報が取得できれば、電源装置が大きく移動したか否かが把握できるので、電源装置に大きな不具合が発生したか否か、電源装置の周囲で大きな災害が発生したか否か等を判断する指標とすることができる。電源装置の設置位置の変化速度が所定の閾値を超えたか否かを示す情報、電源装置の姿勢の変化量が所定の閾値を超えたか否かを示す情報、及び、電源装置の姿勢の変化速度が所定の閾値を超えたか否かを示す情報が取得できた場合についても、同様である。
【００２３】
前記電源側取得部は、前記変化量及び変化速度の少なくとも一方が前記閾値を超えたか否かを判断することにより、前記変化量及び変化速度の少なくとも一方が前記閾値を超えたか否かを示す情報を取得してもよい。
【００２４】
電源側取得部が、電源装置の設置位置の変化量が所定の閾値を超えたか否かを判断する機能を有しているので、電源装置の設置位置の変化量が所定の閾値を超えたか否かを示す情報を、容易に取得することができる。電源側取得部が、電源装置の設置位置の変化速度が所定の閾値を超えたか否かを示す情報、電源装置の姿勢の変化量が所定の閾値を超えたか否かを示す情報、及び、電源装置の姿勢の変化速度が所定の閾値を超えたか否かを示す情報を取得する場合についても、同様である。
【００２５】
前記電源側取得部は、前記変化量及び変化速度の少なくとも一方が前記閾値を超えたことを示す情報を取得した場合に、警報を発信してもよい。
【００２６】
電源側取得部が、電源装置の設置位置の変化量が所定の閾値を超えたことを示す情報を取得した場合に、警報を発信するので、電源装置が大きく移動した場合に、警報が発せられる。これにより、電源装置に大きな不具合が発生したり、電源装置の周囲で大きな災害が発生したりした場合に、警報を発信できる。電源側取得部が、電源装置の設置位置の変化速度が所定の閾値を超えたことを示す情報、電源装置の姿勢の変化量が所定の閾値を超えたことを示す情報、及び、電源装置の姿勢の変化速度が所定の閾値を超えたことを示す情報を取得した場合についても、同様である。
【００２７】
前記電源装置は、サーバに通信ネットワークを介して接続されており、前記電源装置は、前記通信ネットワークを介して、前記サーバへ前記位置に関連する情報を送信する電源側送信部をさらに備えてもよい。
【００２８】
電源装置が、自装置の位置に関連する情報をサーバへ送信するので、サーバが電源装置の位置に関連する情報を容易に取得できるので、電源装置を適切に管理できる。
【００２９】
前記電源側送信部は、前記サーバへ、前記位置に関連する情報として、前記電源装置の設置位置及び姿勢の少なくとも一方を示す情報を送信してもよい。
【００３０】
電源装置が、自装置の設置位置を示す情報をサーバへ送信すれば、サーバが電源装置の設置位置を示す情報を取得できるので、サーバが電源装置の設置位置を把握でき、電源装置を容易にメンテナンスしたり交換したりできる。電源装置が、自装置の姿勢を示す情報をサーバへ送信すれば、サーバが電源装置の姿勢を示す情報を取得できるため、サーバが、電源装置が傾いたり逆さになったりしているのを把握でき、電源装置に不具合が生じているか否かの指標とすることができる。これにより、電源装置を適切に管理できる。
【００３１】
前記電源側送信部は、前記サーバへ、前記位置に関連する情報として、前記電源装置の設置位置及び姿勢の少なくとも一方の、変化量及び変化速度の少なくとも一方を示す情報を送信してもよい。
【００３２】
電源装置が、自装置の設置位置の変化量を示す情報をサーバへ送信すれば、サーバが、電源装置の設置位置の変化量を示す情報を取得できるので、電源装置の移動の有無及び移動量を把握できる。サーバが、電源装置の移動の有無及び移動量を把握できれば、電源装置に不具合が発生したか否か、電源装置の周囲で災害が発生したか否か、当該災害がどの程度の規模か等を判断する指標とすることができる。サーバが、電源装置の設置位置の変化速度を示す情報、電源装置の姿勢の変化量を示す情報、及び、電源装置の姿勢の変化速度を示す情報を取得できた場合についても、同様である。
【００３３】
前記電源側送信部は、前記サーバへ、前記位置に関連する情報として、前記電源装置の設置位置及び姿勢の少なくとも一方の、変化量及び変化速度の少なくとも一方が所定の閾値を超えたか否かを示す情報を送信してもよい。
【００３４】
電源装置が、自装置の設置位置の変化量が所定の閾値を超えたか否かを示す情報をサーバへ送信すれば、サーバが、電源装置の設置位置の変化量が所定の閾値を超えたか否かを示す情報を取得できるため、電源装置が大きく移動したか否を把握できる。サーバが、電源装置が大きく移動したか否を把握できれば、電源装置に大きな不具合が発生したか否か、電源装置の周囲で大きな災害が発生したか否か等を判断する指標とすることができる。サーバが、電源装置の設置位置の変化速度が所定の閾値を超えたか否かを示す情報、電源装置の姿勢の変化量が所定の閾値を超えたか否かを示す情報、及び、電源装置の姿勢の変化速度が所定の閾値を超えたか否かを示す情報を取得できた場合についても、同様である。
【００３５】
前記電源側送信部は、前記変化量及び変化速度の少なくとも一方が前記閾値を超えた場合に、前記サーバへ、警報を発信してもよい。
【００３６】
電源側送信部が、電源装置の設置位置の変化量が所定の閾値を超えた場合に、サーバへ警報を発信することで、電源装置が大きく移動した場合に、サーバへ警報が発信される。これにより、電源装置に大きな不具合が発生したり、電源装置の周囲で大きな災害が発生したりした場合に、サーバへ警報を発信できる。電源装置の設置位置の変化速度が所定の閾値を超えた場合、電源装置の姿勢の変化量が所定の閾値を超えた場合、及び、電源装置の姿勢の変化速度が所定の閾値を超えた場合についても、同様である。
【００３７】
前記電源側取得部は、ＧＰＳ（Global Positioning System）を用いて、前記位置に関連する情報を取得することにしてもよい。
【００３８】
電源装置が、ＧＰＳを用いて位置に関連する情報を取得するので、電源装置の位置に関連する情報を正確に把握することができる。例えば、電源装置の設置位置として登録された住所で示される領域が非常に広い場合でも、電源装置の正確な位置に関連する情報をサーバが取得できるため、電源装置を適切に管理することができる。
【００３９】
前記電源装置は、無停電電源供給装置であってもよい。
【００４０】
ケーブルテレビ用や監視カメラ用等の無停電電源供給装置は、屋外の様々な箇所に設置されるため、設置位置の把握が困難である。無停電電源供給装置の位置に関連する情報が取得されることで、無停電電源供給装置を適切に管理することができる。
【００４１】
電源装置は、サーバに通信ネットワークを介して接続された電源装置であって、前記電源装置の位置に関連する情報を取得する電源側取得部と、前記通信ネットワークを介して、前記サーバへ前記位置に関連する情報を送信する電源側送信部とを備える。
【００４２】
電源装置は、自装置の位置に関連する情報を取得し、通信ネットワークを介して、サーバへ当該位置に関連する情報を送信する。これにより、電源装置がサーバへ位置に関連する情報を送信する。サーバが電源装置の位置に関連する情報を容易に把握できるので、電源装置を適切に管理できる。
【００４３】
サーバは、電源装置に通信ネットワークを介して接続されたサーバであって、前記通信ネットワークを介して、前記電源装置へ前記電源装置の位置に関連する情報の取得を要求する信号を送信するサーバ側送信部と、前記通信ネットワークを介して、前記電源装置から前記位置に関連する情報を取得するサーバ側取得部とを備える。
【００４４】
サーバは、通信ネットワークを介して、電源装置へ位置に関連する情報の取得を要求し、電源装置から当該位置に関連する情報を取得する。サーバは、電源装置から位置に関連する情報を取得することで、電源装置の位置に関連する情報を容易に把握できるので、電源装置を適切に管理できる。
【００４５】
前記サーバ側取得部は、前記電源装置の識別情報が関連付けられた地図情報を取得し、取得した前記位置に関連する情報と前記地図情報とを比較して、前記位置に関連する情報を有する電源装置の識別情報を特定してもよい。
【００４６】
サーバは、電源装置の位置に関連する情報と地図情報とを比較して、電源装置の識別情報を特定する。サーバが、管理対象の電源装置がどの電源装置で、どこにあるのかということを、位置に関連する情報と識別情報とを関連付ける（人手入力を介さず自動登録する）ことで把握する。電源装置を容易かつ適切に管理できる。
【００４７】
前記サーバ側取得部は、前記通信ネットワークを介して、前記電源装置から、定期的に前記位置に関連する情報を取得してもよい。
【００４８】
サーバが、電源装置から定期的に位置に関連する情報を取得する。電源装置の設置位置が変更された場合でも、変更後の位置に関連する情報をサーバが取得できるので、電源装置の位置に関連する情報を容易に把握できる。管理者が把握していない電源装置の移設等があっても、最新の位置に関連する情報を認識できるため、電源装置の位置を特定できずにメンテナンス等ができない状況になることを防ぐことができる。災害等で電源装置が移動した場合にも、電源装置がどのような状態にあるのかを把握できる。このように、電源装置を容易かつ適切に管理できる。
【００４９】
前記サーバ側取得部は、前記通信ネットワークを介して、前記電源装置から、前記電源装置の製造時期を含む機器情報を取得してもよい。
【００５０】
サーバが、電源装置の製造時期を含む機器情報を取得することで、サーバ側で電源装置の製造時期を管理できる。これにより、サーバが、電源装置のメンテナンスや交換時期を把握できるので、電源装置の位置を特定できずメンテナンス等の時期を逃すことを抑制できる。このように、電源装置を容易かつ適切に管理することができる。
【００５１】
電源装置管理システムは、サーバと、前記サーバに通信ネットワークを介して接続された電源装置とを備え、前記電源装置は、前記電源装置の位置に関連する情報を取得する電源側取得部を有し、前記サーバは、前記通信ネットワークを介して、前記電源装置から前記位置に関連する情報を取得するサーバ側取得部を有する。
【００５２】
電源装置管理システムにおいて、電源装置は、自装置の位置に関連する情報を取得し、サーバは、通信ネットワークを介して、電源装置から当該位置に関連する情報を取得する。電源装置の位置に関連する情報が不明な場合、サーバが電源装置から位置に関連する情報を取得することで、サーバが電源装置の位置に関連する情報を容易に把握できるため、電源装置を適切に管理できる。
【００５３】
図面を参照しながら、本発明の実施の形態に係る電源装置、サーバ、及び、電源装置管理システムについて説明する。以下で説明する実施の形態は、包括的または具体的な例を示すものである。以下の実施の形態で示される数値、形状、材料、構成要素、構成要素の配置位置及び接続形態、方法におけるステップ、ステップの順序などは、一例であり、本発明を限定する主旨ではない。以下の実施の形態における構成要素のうち、最上位概念を示す独立請求項に記載されていない構成要素については、任意の構成要素として説明される。
【００５４】
（実施の形態）
電源装置管理システム１の概略構成について、説明する。図１は、電源装置管理システム１の概略構成を示す模式図である。
【００５５】
電源装置管理システム１は、サーバ１０によって電源装置２０を管理するシステムである。図１に示すように、サーバ１０と、電源装置２０と、通信ネットワーク３０と、地図管理装置４０とを備えている。サーバ１０と電源装置２０と地図管理装置４０とが通信ネットワーク３０を介して接続されており、電源装置管理システム１は、サーバ１０が電源装置２０及び地図管理装置４０から通信ネットワーク３０を介して各種情報を取得して、電源装置２０を管理する。これらの各構成要素について、詳細に説明する。
【００５６】
サーバ１０は、電源装置２０及び地図管理装置４０に通信ネットワーク３０を介して接続されたコンピュータであり、電源装置２０を管理するために用いられる。具体的には、サーバ１０は、通信ネットワーク３０を介して、電源装置２０及び地図管理装置４０から情報を取得し、電源装置２０を管理する。サーバ１０は、電源装置２０を管理するための専用のコンピュータでもよいし、汎用のパーソナルコンピュータなどでもよい。サーバ１０の詳細な構成については、後述する。
【００５７】
電源装置２０は、サーバ１０に通信ネットワーク３０を介して接続され、自装置に関する情報をサーバ１０に送信する。電源装置２０は、電源を有しており、他の設備に電力を供給する。本実施の形態では、電源装置２０は、バックアップ用電源として用いられる電源装置である。詳細には、電源装置２０は、停電時等に電力を供給する無停電電源供給装置である。具体的には、電源装置２０は、商用電源等の外部電源に接続され、当該外部電源から電力が供給される蓄電素子を備えている。通常時は、蓄電池が浮動充電されながら負荷に電源が供給され、停電時は蓄電池から電源が供給される。本実施の形態では、電源装置２０は、蓄電素子としてリチウムイオン電池等の非水電解質二次電池を有するケーブルテレビ用の無停電電源供給装置である。
【００５８】
電源装置２０に設けられている蓄電素子は、外部電源から電源装置２０及び電源装置２０が接続されている外部機器への電力供給が遮断された場合に、電源装置２０が有する処理部及び当該外部機器に電力を供給する。本実施の形態では、当該外部機器は、後述のケーブルテレビ用のノードアンプ５１及びアンプ５３等である。当該電源装置２０が有する処理部は、後述の電源側取得部２１、電源側送信部２２及び電源側記憶部２３等である。当該蓄電素子は、非水電解質二次電池には限定されない。当該蓄電素子は、例えば、非水電解質二次電池以外の二次電池、キャパシタ、使用者が充電をしなくても蓄えられている電気を使用できる一次電池、あるいは、固体電解質を用いた電池でもよい。
【００５９】
電源装置２０は、ケーブルテレビ用の無停電電源供給装置には限定されず、どのような用途の無停電電源供給装置でもよいし、無停電電源供給装置以外の電源装置でもよい。図１には複数の電源装置２０が図示されているが、電源装置管理システム１は、１つの電源装置２０しか備えていなくてもよい。電源装置２０の詳細な構成については、後述する。
【００６０】
通信ネットワーク３０は、インターネット網であり、本実施の形態では、光ファイバ及び同軸ケーブル（後述の図２に示す光ファイバ３１及び同軸ケーブル２０ｂ等）である。通信ネットワーク３０に、有線ＬＡＮ（Local Area Network）、無線ＬＡＮ、携帯電話網（３Ｇ、ＬＴＥ等）、または電力線通信（Power Line Communication）等を用いてもよい。
【００６１】
地図管理装置４０は、サーバ１０に通信ネットワーク３０を介して接続されたコンピュータである。地図管理装置４０は、地図情報を記憶しており、通信ネットワーク３０を介して当該地図情報をサーバ１０に送信する。当該地図情報には、電源装置２０の識別情報が関連付けられている。例えば、地図上の登録された位置に、電源装置２０を識別するための文字（ＰＳ１、ＰＳ２等）や記号等がプロットされている。地図管理装置４０は、地図情報が記憶された専用のコンピュータや、汎用のパーソナルコンピュータでもよい。
【００６２】
電源装置２０の構成について、詳細に説明する。図２は、電源装置２０周辺の構成を示す模式図である。図３は、電源装置２０が設置されている状態の一例を示す正面図である。
【００６３】
図２に示すように、１つのノード５０に対して、１つの電源装置２０、１つのノードアンプ５１及び複数のアンプ５３が設けられている。それぞれの電源装置２０には、商用電源等の外部電源から商用電力等の電力が供給される電力線２０ａと、電力及び各種情報を出力するための同軸ケーブル２０ｂとが接続されている。それぞれのノード５０において、電源装置２０とノードアンプ５１とが同軸ケーブル２０ｂで接続されている。それぞれのノード５０において、ノードアンプ５１とアンプ５３とは同軸ケーブル５２で接続される。同軸ケーブル５２は、各家庭まで延びている。それぞれのノードアンプ５１には、光ファイバ３１がそれぞれ接続されている。
【００６４】
光ファイバ３１によって伝達された情報は、ノードアンプ５１及びアンプ５３を介して同軸ケーブル５２によって各家庭に伝達される。電力線２０ａを介して電源装置２０に供給された電力は、同軸ケーブル２０ｂを介してノードアンプ５１に供給され、同軸ケーブル５２を介して各アンプ５３に供給される。停電時等で、電力線２０ａから電源装置２０に電力が供給されない場合には、電源装置２０が有するリチウムイオン電池等の電源（蓄電素子）から、ノードアンプ５１や各アンプ５３に電力が供給される。電源装置２０は、リチウムイオン電池等の電源を有するケーブルテレビ用の無停電電源供給装置であり、数千のノード５０に対応して数千台の電源装置２０が配置される。
【００６５】
光ファイバ３１には、サーバ１０が接続される。同軸ケーブル２０ｂと光ファイバ３１とで通信ネットワーク３０が構成されて、電源装置２０とサーバ１０とが通信ネットワーク３０を介して接続される。
【００６６】
図３に示すように、電源装置２０は、電力柱２の近傍に配置され、ケーブルを支持するメッセンジャワイヤ３に固定されて、空中に設置されている。電源装置２０の配置位置は図３の位置には限定されず、電力柱２に取り付けられた腕金に固定されてもよいし、自営柱に取り付けられてもよい。電源装置２０は、空中ではなく、地面上に載置されていてもよく、屋内に配置されていてもよい。数千台もの電源装置２０が、様々な位置に設置されるため、設置位置を管理できていないと、メンテナンス等を行うのが難しい。
【００６７】
電源装置管理システム１が備えるサーバ１０及び電源装置２０の詳細な機能構成について、説明する。図４は、電源装置管理システム１が備えるサーバ１０及び電源装置２０の機能的な構成を示すブロック図である。
【００６８】
図４に示すように、サーバ１０は、サーバ側取得部１１と、サーバ側送信部１２と、サーバ側記憶部１３とを有している。電源装置２０は、電源側取得部２１と、電源側送信部２２と、電源側記憶部２３とを有している。サーバ側記憶部１３及び電源側記憶部２３は、電源装置２０を管理するための各種データを記憶している記録媒体であり、登録データ１３ａ及び電源データ２３ａがそれぞれ記憶されている。記録媒体としては、装置に内蔵されているまたは外付けのメモリ、ＨＤＤ（磁気記録装置）等、従来知られている各種媒体を用いることができる。
【００６９】
電源側記憶部２３に記憶されている電源データ２３ａ、及び、サーバ側記憶部１３に記憶されている登録データ１３ａについて、説明する。図５は、電源側記憶部２３に記憶されている電源データ２３ａの一例を示す図である。図６は、サーバ側記憶部１３に記憶されている登録データ１３ａの一例を示す図である。
【００７０】
図５に示すように、電源データ２３ａには、電源装置２０に関する各種情報（電源側取得部２１が取得した情報）が書き込まれる。つまり、電源データ２３ａには、「ネットワーク設定情報」、「位置情報」、「機器情報」及び「状態情報」等の各種情報を含むデータテーブルが書き込まれる。
【００７１】
「ネットワーク設定情報」には、電源装置２０が有するＭＡＣアドレス及びＩＰアドレス等のネットワーク設定に関する情報が記憶される。「位置情報」には、電源装置２０が設置されている位置（設置位置）の緯度及び経度等の電源装置２０の位置に関連する情報が記憶される。「機器情報」には、電源装置２０が有する電池（リチウムイオン電池）の製造年月、メーカ名、型式、製造番号等の情報（電池情報）や、電源装置２０が有するその他機器の製造年月、メーカ名、型式、製造番号等の情報（ＰＳ情報）等の機器に関する情報が記憶される。「状態情報」には、電源装置２０の電池電圧や出力電流等の電源装置２０の状態に関する情報が記憶される。これらの情報は、変更の都度、更新または蓄積される。
【００７２】
図６に示すように、登録データ１３ａには、電源装置２０に関してサーバ１０が取得した情報（サーバ側取得部１１が取得した情報）が書き込まれる。つまり、登録データ１３ａには、「識別情報」に、「ネットワーク設定情報」、「位置情報」、「機器情報」、「警報値」、「登録履歴」及び「保守情報」等の各種情報が対応付けられたデータテーブルが書き込まれる。
【００７３】
「識別情報」には、電源装置２０（またはノード５０）を識別するための文字や記号等の情報が記憶される。「ネットワーク設定情報」、「位置情報」及び「機器情報」には、電源データ２３ａと同様の情報が記憶される。「位置情報」には、緯度及び経度から得られる住所の情報が追加されて記憶される。「警報値」には、電源装置２０の性能に応じた電池電圧閾値及び出力電流閾値等のアラーム検出設定値に関する情報が記憶される。「登録履歴」には、情報登録日及び情報更新日等の情報が自動登録または自動更新された日が記憶される。「保守情報」には、電源装置２０が新規設置された日（情報が自動登録された日）が電源装置設置日として記憶され、「機器情報」の電池情報が変更になった日が電池交換日として記憶される。これらの情報は、変更の都度、更新または蓄積される。
【００７４】
図４において、電源装置２０の処理部について説明する。電源側取得部２１は、電源装置２０の位置情報を取得する。具体的には、電源側取得部２１は、ＧＰＳ（Global Positioning System）を用いて、当該位置情報を取得する。つまり、電源側取得部２１は、ＧＰＳ機能を有しており、自装置の緯度及び経度を含む位置情報を取得する。電源側取得部２１は、電源側記憶部２３に記憶されている電源データ２３ａに、取得した位置情報（緯度及び経度）を書き込み、「位置情報」のデータを更新する。電源側取得部２１は、正確な位置情報を取得できれば、取得の手段は、ＧＰＳには限定されない。
【００７５】
電源側取得部２１は、電源装置２０の電池電圧や出力電流等の電源装置２０の状態情報を取得する。電源側取得部２１は、電源データ２３ａに、取得した状態情報を書き込み、「状態情報」のデータを更新する。電源側取得部２１は、その他の情報についても、変更があれば変更後の情報を取得して、電源データ２３ａに、取得した情報を書き込み、データを更新する。
【００７６】
電源側取得部２１は、どのようなタイミングで位置情報等の情報を取得して電源データ２３ａのデータを更新してもよい。本実施の形態では、電源側取得部２１は、定期的に、位置情報等の情報を取得し、電源データ２３ａのデータを更新する。定期的とは、毎日、毎週、毎月、毎年など、どのような期間毎でもよく、ユーザ（管理者）によって適宜決定される。電源側取得部２１は、取得した情報に変更がない場合には、電源データ２３ａのデータ更新は行わなくてもよい。電源側取得部２１は、変更の頻度が少ない情報は長い周期で取得するなど、情報に応じて取得の周期を変化させてもよい。
【００７７】
電源側送信部２２は、通信ネットワーク３０を介して、サーバ１０へ位置情報を送信する。具体的には、電源側送信部２２は、電源側記憶部２３に記憶されている電源データ２３ａから、電源装置２０の位置情報を読み出し、通信ネットワーク３０を介して、サーバ１０へ当該位置情報を送信する。電源側送信部２２は、電源装置２０の機器情報及び状態情報やその他の情報についても、電源データ２３ａから読み出し、通信ネットワーク３０を介して、サーバ１０へ当該情報を送信する。
【００７８】
電源側送信部２２は、どのようなタイミングで位置情報等の情報をサーバ１０へ送信してもよい。本実施の形態では、電源側送信部２２は、サーバ１０からの要求に基づいて、位置情報等の情報をサーバ１０へ送信する。電源側送信部２２は、サーバ１０からの要求に基づくことなく、例えば定期的等の所定のタイミングで位置情報等の情報をサーバ１０へ送信してもよい。電源側送信部２２は、送信する情報に変更がない場合には、当該情報をサーバ１０へ送信しなくてもよい。
【００７９】
サーバ１０の処理部について説明する。サーバ側送信部１２は、通信ネットワーク３０を介して、電源装置２０へ電源装置２０の位置情報の取得を要求する信号を送信する。具体的には、サーバ側送信部１２は、電源装置２０の位置情報、機器情報及び状態情報等の各種情報の取得を要求する情報取得要求信号を、電源装置２０へ送信する。
【００８０】
サーバ側送信部１２は、どのようなタイミングで電源装置２０へ情報取得要求信号を送信してもよい。本実施の形態では、サーバ側送信部１２は、定期的に、電源装置２０へ情報取得要求信号を送信する。定期的とは、毎日、毎週、毎月、毎年など、どのような期間毎でもよく、ユーザ（管理者）によって適宜決定される。サーバ側送信部１２は、変更の頻度が少ない情報は長い周期で情報取得要求信号を送信するなど、情報に応じて情報取得要求信号を送信する周期を変化させてもよい。
【００８１】
サーバ側取得部１１は、通信ネットワーク３０を介して、電源装置２０から位置情報、機器情報及び状態情報等の各種情報を取得する。当該機器情報は、上述の通り、電源装置２０の製造時期（製造年月等）を含んでいる。つまり、サーバ側取得部１１は、サーバ側送信部１２から電源装置２０への情報取得要求によって送信されてくる情報を取得する。本実施の形態では、サーバ側取得部１１は、通信ネットワーク３０を介して、電源装置２０から、定期的に位置情報等の各種情報を取得する。サーバ側取得部１１は、取得した位置情報及び機器情報等を、サーバ側記憶部１３に記憶されている登録データ１３ａに書き込み、登録データ１３ａを更新する。サーバ側取得部１１は、取得した位置情報から住所を特定し、特定した住所を登録データ１３ａの「位置情報」に書き込む。
【００８２】
サーバ側取得部１１は、電源装置２０の識別情報が関連付けられた地図情報を取得し、取得した位置情報と地図情報とを比較して、位置情報を有する電源装置２０の識別情報を特定する。つまり、サーバ側取得部１１は、通信ネットワーク３０を介して、地図管理装置４０から地図情報を取得する。サーバ側取得部１１は、取得した電源装置２０の位置情報で示される位置と、地図情報に記載されている電源装置２０の位置とを照合し、電源装置２０の位置情報と地図情報に関連付けられている電源装置２０の識別情報とを対応付ける。これにより、サーバ側取得部１１は、当該位置情報を有する電源装置２０の識別情報を特定する。例えば、サーバ側取得部１１は、位置情報を送信してきた電源装置２０の識別情報が「ＰＳ１」であると特定する。サーバ側取得部１１は、特定した識別情報を登録データ１３ａの「識別情報」に書き込む。
【００８３】
サーバ側取得部１１は、電源装置２０ごとに、取得した機器情報に応じた警報値を設定する。つまり、サーバ側取得部１１は、電源装置２０の機器情報に含まれる電池情報やＰＳ情報を参照して、電源装置２０の電池電圧閾値及び出力電流閾値を設定する。サーバ側取得部１１は、設定した警報値を登録データ１３ａの「警報値」に書き込む。
【００８４】
サーバ側取得部１１は、電源装置２０の情報を取得した日、及び、電源装置２０の情報を更新した日を、情報登録日及び情報更新日として、登録データ１３ａの「登録履歴」に書き込む。サーバ側取得部１１は、電源装置２０の情報が自動登録された日、及び、「機器情報」の電池情報が変更になった日を、電源装置設置日及び電池交換日として、登録データ１３ａの「保守情報」に書き込む。
【００８５】
電源装置管理システム１が電源装置２０を管理する処理（サーバ１０及び電源装置２０が行う処理）について、詳細に説明する。図７は、電源装置管理システム１が電源装置２０を管理する処理の一例を示すシーケンス図である。
【００８６】
図７に示すように、電源装置２０の電源側取得部２１は、自装置の位置情報を取得する（Ｓ１０）。具体的には、電源側取得部２１は、ＧＰＳを用いて位置情報を取得し、電源データ２３ａに当該位置情報を書き込む。
【００８７】
電源装置２０の電源側送信部２２は、通信ネットワーク３０を介して、サーバ１０へネットワーク設定情報を送信する（Ｓ１１）。具体的には、電源側送信部２２は、ネットワーク設定情報を電源データ２３ａから読み出してサーバ１０へ送信する。電源装置２０の電源側記憶部２３にサーバ１０のＩＰアドレスが予め書き込まれている、または、サーバ１０のＩＰアドレスがユーザによって入力等されることで、電源側送信部２２は、当該ＩＰアドレスで特定されるサーバ１０へ当該情報を送信する。サーバ１０のサーバ側取得部１１は、ネットワーク設定情報を取得（受信）し、登録データ１３ａに当該ネットワーク設定情報を書き込む。
【００８８】
サーバ１０のサーバ側送信部１２は、登録データ１３ａのネットワーク設定情報を参照し、通信ネットワーク３０を介して、電源装置２０へ、電源装置２０の情報の取得を要求する情報取得要求信号を送信する（Ｓ１２）。電源装置２０の電源側取得部２１は、情報取得要求信号を取得（受信）する。
【００８９】
電源装置２０の電源側送信部２２は、電源側取得部２１が情報取得要求信号を受信すると、通信ネットワーク３０を介して、サーバ１０へ位置情報、機器情報及び状態情報等の各種情報を送信する（Ｓ１３）。具体的には、電源側送信部２２は、当該各種情報を電源データ２３ａから読み出してサーバ１０へ送信する。サーバ１０のサーバ側取得部１１は、当該各種情報を取得（受信）する。
【００９０】
サーバ１０のサーバ側取得部１１は、通信ネットワーク３０を介して、地図管理装置４０から地図情報を取得する（Ｓ１４）。サーバ側取得部１１は、取得した位置情報と地図情報とを比較して、位置情報を有する電源装置２０の識別情報を特定する（Ｓ１５）。サーバ側取得部１１が電源装置２０の識別情報を特定できない場合には、サーバ側取得部１１は、電源装置２０のＭＡＣアドレスを当該識別情報として特定する。つまり、サーバ側取得部１１が特定した識別情報がＭＡＣアドレスとなっている電源装置２０は、位置情報と地図情報のデータとが異なることが分かり、識別情報をＭＡＣアドレスとすることで整合チェックも兼ねる。サーバ側取得部１１は、特定した識別情報を登録データ１３ａに書き込む。
【００９１】
サーバ側取得部１１は、電源装置２０の情報を登録し、電源装置２０を監視する（Ｓ１６）。この処理について、以下に詳細に説明する。図８は、サーバ１０のサーバ側取得部１１が電源装置２０の情報を登録し、電源装置２０を監視する処理の一例を示すフローチャートである。
【００９２】
図８に示すように、サーバ側取得部１１は、取得した電源装置２０のＭＡＣアドレスを参照し、取得した電源装置２０の情報が既に登録されている（登録データ１３ａに書き込まれている）か否かを判断する（Ｓ１００）。具体的には、サーバ側取得部１１は、取得した電源装置２０のＭＡＣアドレスが、既に登録データ１３ａの「ネットワーク設定情報」に書き込まれている場合には、電源装置２０の情報が登録済であると判断する。サーバ側取得部１１は、取得した電源装置２０のＭＡＣアドレスが、登録データ１３ａの「ネットワーク設定情報」に書き込まれていない場合には、電源装置２０の情報が未登録であると判断する。
【００９３】
サーバ側取得部１１は、電源装置２０の情報が未登録であると判断した場合（Ｓ１００で「未登録」）には、取得した電源装置２０の情報を登録する（Ｓ１０１）。つまり、サーバ側取得部１１は、取得した電源装置２０の情報を登録データ１３ａに書き込む。サーバ側取得部１１は、電源装置２０ごとに、取得した機器情報に応じた警報値を設定する（Ｓ１０２）。サーバ側取得部１１は、設定した警報値を登録データ１３ａに書き込む。サーバ側取得部１１は、設定した警報値にて、電源装置２０の監視を開始する。
【００９４】
サーバ側取得部１１は、電源装置２０の情報が登録済であると判断した場合（Ｓ１００で「登録済」）には、当該情報に変更があるか否かを判断する（Ｓ１０４）。サーバ側取得部１１は、電源装置２０の情報に変更があると判断した場合（Ｓ１０４で「Ｙｅｓ」）には、電源装置２０の情報を更新し（Ｓ１０５）、警報値も更新する（Ｓ１０６）。つまり、サーバ側取得部１１は、取得した電源装置２０の各種情報及び更新した警報値を登録データ１３ａに書き込み、データを更新する。サーバ側取得部１１は、電源装置２０の情報に変更がないと判断した場合（Ｓ１０４で「Ｎｏ」）には、登録データ１３ａの更新は行わずに、処理を終了する。
【００９５】
サーバ１０が電源装置２０の情報を登録し、電源装置２０を監視する処理（図７のＳ１６）は、終了する。サーバ側取得部１１は、上述の処理工程において、取得した電源装置２０の状態情報が、設定した警報値から外れている場合には、アラームを発信する等によりユーザ（管理者）に警告を行う。
【００９６】
以上のように、電源装置２０は、バックアップ用電源として用いられる電源装置２０であって、電源装置２０の位置に関連する情報を取得する電源側取得部２１を備えているので、当該位置に関連する情報を容易に取得できる。このため、当該位置に関連する情報を用いて、電源装置２０を適切に管理できる。
【００９７】
電源装置２０は、外部電源からの電力供給が遮断された場合、電源側取得部２１及び外部機器に電力を供給できるため、当該外部機器に電力を供給しつつ、電源装置２０の位置に関連する情報を継続して取得できる。これにより、電源装置２０を適切に管理できる。
【００９８】
電源装置２０の設置位置を示す情報が取得でき、電源装置２０の設置位置が把握できるので、電源装置２０を容易にメンテナンスしたり交換できる。これにより、電源装置２０を適切に管理できる。
【００９９】
電源装置２０が、ＧＰＳを用いて位置に関連する情報（位置情報）を取得するので、サーバ１０は、ＧＰＳによる当該位置情報を取得でき、電源装置２０の位置を正確に把握できる。電源装置２０の設置位置として登録された住所で示される領域が非常に広い場合でも、電源装置２０の正確な位置情報をサーバ１０が取得できるので、電源装置２０を適切に管理できる。
【０１００】
電源装置２０は、例えば無停電電源供給装置である。ケーブルテレビ用等の無停電電源供給装置は、非常に数が多く、屋外の様々な箇所に設置されるので、設置位置の把握が困難である。サーバ１０が無停電電源供給装置から位置情報を取得することで、無停電電源供給装置の正確な位置情報をサーバ１０が取得できるので、無停電電源供給装置を適切に管理できる。
【０１０１】
電源装置２０は、自装置の位置情報（設置位置を示す情報）を取得し、通信ネットワーク３０を介して、サーバ１０へ当該位置情報を送信する。電源装置２０が、自装置の設置位置を示す情報をサーバ１０へ送信すれば、サーバ１０が電源装置２０の設置位置を示す情報を取得できる。これにより、サーバ１０が電源装置２０の設置位置を容易に把握でき、電源装置２０を容易にメンテナンスしたり交換できるので、電源装置２０を適切に管理できる。
【０１０２】
サーバ１０は、通信ネットワーク３０を介して、電源装置２０へ位置情報の取得を要求し、電源装置２０から当該位置情報を取得する。サーバ１０は、電源装置２０の位置を容易に把握できるので、電源装置２０を適切に管理できる。
【０１０３】
サーバ１０は、電源装置２０の位置情報と地図情報とを比較して、電源装置２０の識別情報を特定する。つまり、サーバ１０が、管理対象の電源装置２０がどの電源装置で、どこにあるのかということを、位置情報と識別情報とを関連付ける（人手入力を介さず自動登録する）ことで把握する。これにより、電源装置２０を容易かつ適切に管理できる。
【０１０４】
サーバ１０が、電源装置２０から定期的に位置情報を取得することで、電源装置２０の設置位置が変更された場合でも、変更後の位置情報をサーバ１０が取得できるので、電源装置２０の位置情報を容易に把握できる。これにより、管理者が把握していない電源装置２０の移設等があっても、最新の位置情報を認識できるので、電源装置２０の位置を特定できずにメンテナンス等ができない状況になることを防ぐ。災害等で電源装置２０が移動したような場合にも、電源装置２０がどのような状態にあるのかを把握できる。このように、電源装置２０を容易かつ適切に管理できる。
【０１０５】
サーバ１０が、電源装置２０の製造時期を含む機器情報を取得することで、サーバ１０側で電源装置２０の製造時期を管理できる。これにより、サーバ１０が、電源装置２０のメンテナンスや交換時期を把握できるので、電源装置２０の位置を特定できずメンテナンス等の時期を逃すことを抑制できる。このように、電源装置２０を容易かつ適切に管理できる。
【０１０６】
サーバ１０側で電源装置２０に応じた警報値を設定することで、電源装置２０の不具合状況や電源装置２０のメンテナンス時期等を把握でき、電源装置２０を容易かつ適切に管理ができる。
【０１０７】
電源装置２０は、自装置の位置情報を取得し、サーバ１０は、通信ネットワーク３０を介して、電源装置２０から当該位置情報を取得する。これにより、電源装置２０の位置が不明な場合でも、サーバ１０が電源装置２０から位置情報を取得することで、サーバ１０が電源装置２０の位置を容易に把握できるので、電源装置２０を適切に管理できる。
【０１０８】
電源装置管理システム１、電源装置２０、及び、サーバ１０について説明したが、本発明は、この実施の形態に限定されない。つまり、今回開示された実施の形態は全ての点で例示であって制限的なものではない。本発明の範囲は特許請求の範囲によって示され、特許請求の範囲と均等の意味及び範囲内での全ての変更が含まれる。以下に、上記実施の形態の変形例について説明する。
【０１０９】
上記実施の形態では、電源装置２０は、ケーブルテレビ用の無停電電源供給装置であるとしたが、これには限定されない。電源装置２０は、道路監視カメラ、踏切監視カメラ、河川監視カメラ及び砂防ダム監視カメラ等の監視カメラ、防犯カメラ、信号機等の交通インフラ、大型工場及びパイプライン等の大規模設備等のバックアップ用電源でもよい。
【０１１０】
詳細には、電源装置２０は、防災用ＣＣＴＶ（Closed Circuit Television）カメラ、情報掲示板、遮断機、防犯用監視カメラ及びレコーダ機器、屋外用無線機器、屋外用通信機器、ＩｏＴ（Internet of Things）向けアクセスポイント機器等のバックアップ用電源や電気・無線通信機器等の通信インフラ（通信システム）でもよい。
【０１１１】
防災用ＣＣＴＶカメラは、河川、道路、沿岸部の防災用ＣＣＴＶカメラ等を例示できる。情報掲示板は、ＬＥＤ（Light Emitting Diode）情報掲示板、デジタルサイネージ等を例示できる。遮断機は、アンダーパス、駐車場等に設けられた遮断機を例示できる。防犯用監視カメラ及びレコーダ機器は、公園、公共施設、会場等に設けられた防犯用監視カメラ及びレコーダ機器を例示できる。屋外用無線機器は、公衆Ｗｉ−Ｆｉ（Wireless Fidelity）、ＬＰＷＡ（Low Power Wide Area）基地局等を例示できる。屋外用通信機器は、小規模集合住宅向け等の屋外型ＯＮＵ（Optical Network Unit）装置（光回線終端装置）、メディコン（メディアコンバータ）、スイッチ等を例示できる。ＩｏＴ向けアクセスポイント機器は、各種センサのデータ収集機器等を例示できる。
【０１１２】
電源装置２０の位置に関連する情報は、電源装置２０の位置情報（設置位置を示す情報）であるとしたが、これには限定されない。以下に、詳細に説明する。
【０１１３】
（電源装置２０の位置に関連する情報についての変形例１）
電源装置２０の位置に関連する情報は、電源装置２０の姿勢を示す情報でもよい。図９は、変形例１における電源装置２０が行う処理の一例を示すフローチャートである。
【０１１４】
図９に示すように、電源装置２０の電源側取得部２１は、電源装置２０の位置に関連する情報として、電源装置２０の設置位置及び姿勢の少なくとも一方を示す情報を取得する（Ｓ２０１）。電源装置２０の姿勢を示す情報とは、電源装置２０の傾き状態、回転状態、反転状態等を示す情報である。電源側取得部２１は、傾きセンサ等を用いて、電源装置２０の姿勢を示す情報を取得できる。電源装置２０の電源側送信部２２は、サーバ１０へ、当該位置に関連する情報として、電源装置２０の設置位置及び姿勢の少なくとも一方を示す情報を送信する（Ｓ２０２）。
【０１１５】
電源装置２０の姿勢を示す情報が取得できれば、電源装置２０が傾いたり逆さになったりしているのが把握できるので、電源装置２０に不具合が生じているか否かの指標とすることができる。例えば、電源装置２０が落下して横倒しになったり、地震等によって傾いたりするのを把握でき、電源装置２０を適切に管理できる。
【０１１６】
電源装置２０が、自装置の姿勢を示す情報をサーバ１０へ送信すれば、サーバ１０が電源装置２０の姿勢を示す情報を取得できる。このため、サーバ１０が、電源装置２０が傾いたり逆さになったりしているのを把握でき、サーバ１０が、電源装置２０に不具合が生じているか否かの指標とすることができる。これにより、電源装置２０を適切に管理できる。
【０１１７】
（電源装置２０の位置に関連する情報についての変形例２）
電源装置２０の位置に関連する情報は、電源装置２０の設置位置及び姿勢の少なくとも一方の、変化量及び変化速度の少なくとも一方を示す情報でもよい。図１０は、変形例２における電源装置２０が行う処理の一例を示すフローチャートである。
【０１１８】
図１０に示すように、電源装置２０の電源側取得部２１は、電源装置２０の設置位置及び姿勢の少なくとも一方を示す情報を取得する（Ｓ３０１）。電源側取得部２１は、取得した情報を用いて、電源装置２０の設置位置及び姿勢の少なくとも一方の、変化量及び変化速度の少なくとも一方を示す情報を算出する。これにより、電源側取得部２１は、電源装置２０の位置に関連する情報として、電源装置２０の設置位置及び姿勢の少なくとも一方の、変化量及び変化速度の少なくとも一方を示す情報を取得する（Ｓ３０２）。電源側送信部２２は、サーバ１０へ、当該位置に関連する情報として、電源装置２０の設置位置及び姿勢の少なくとも一方の、変化量及び変化速度の少なくとも一方を示す情報を送信する（Ｓ３０３）。
【０１１９】
電源装置２０の設置位置または姿勢の変化量を示す情報とは、電源装置２０の設置位置または傾き等の移動量（ずれ量）を示す情報であり、設置位置または姿勢を示す２つのデータ間の差分である。電源装置２０の設置位置または姿勢の変化速度を示す情報とは、当該移動量（ずれ量）の移動速度を示す情報であり、電源装置２０が地震等で揺れている場合には、その揺れる速度である。電源側取得部２１は、加速度センサ、角速度センサ等を用いて、当該変化量を示す情報を取得できる。
【０１２０】
電源装置２０の設置位置の変化量を示す情報が取得できれば、電源装置２０の移動の有無及び移動量が把握できるので、電源装置２０に不具合が発生したか否か、電源装置２０の周囲で災害が発生したか否か、当該災害がどの程度の規模か等を判断する指標とすることができる。
【０１２１】
電源装置２０が、自装置の設置位置の変化量を示す情報をサーバ１０へ送信すれば、サーバ１０が、電源装置２０の設置位置の変化量を示す情報を取得できるので、サーバ１０が、電源装置２０の移動の有無及び移動量を把握できる。サーバ１０が、電源装置２０の移動の有無及び移動量を把握できれば、サーバ１０が、電源装置２０に不具合が発生したか否か、電源装置２０の周囲で災害が発生したか否か、当該災害がどの程度の規模か等を判断する指標とすることができる。
【０１２２】
例えば、電源装置２０が監視カメラに設置されており、地震等の災害が発生して、監視カメラの映像が映らなくなった場合、電源装置２０の上記情報が取得できれば、当該監視カメラの周辺でどの程度の災害が発生しているのか等を判断できる。
【０１２３】
電源装置２０が信号機に設置されており、地震等の災害が発生して、信号機が倒れても、信号機が作動していれば、異常無しとして対策が施されないことがある。この場合、信号機に設置されている電源装置２０の上記情報が取得できれば、信号機が倒れていることを判断できるので、信号機を速やかに修理できる。
【０１２４】
電源装置２０が防犯カメラに設置されており、悪意で防犯カメラの位置が変更された場合にも、電源装置２０の上記情報が取得できれば、悪意のある者が侵入した可能性があると判断したり、防犯カメラの位置を速やかに正したりできる。
【０１２５】
海外等で広大な土地に設けられたパイプラインに電源装置２０が設置されており、地震等の災害が発生した場合にも、電源装置２０の上記情報が取得できれば、当該パイプラインに損傷等の異常が発生したことを速やかに把握できる。自動化されている等により人の出入りが少ない工場等においても、電源装置２０が設置されていれば、異常が発生したことを速やかに把握できる。
【０１２６】
近年、ＧＰＳで把握できる位置情報の精度が向上しており、比較的高い精度で、電源装置２０の上記情報が取得できるため、風等によって電源装置２０が揺れているのか、災害等で電源装置２０が移動したのかをある程度正確に判断できる。これらの判断は、ＡＩ（Artificial Intelligence、人工知能）を用いて行ってもよい。風によって電源装置２０が揺れていると判断できれば、当該風の風速を把握することもできる。
【０１２７】
上記では、電源装置２０の設置位置の変化量を示す情報が取得できる場合について説明した。電源装置２０の設置位置の変化速度を示す情報、電源装置２０の姿勢の変化量を示す情報、及び、電源装置２０の姿勢の変化速度を示す情報が取得できる場合についても、同様である。
【０１２８】
（電源装置２０の位置に関連する情報についての変形例３）
電源装置２０の位置に関連する情報は、電源装置２０の設置位置及び姿勢の少なくとも一方の、変化量及び変化速度の少なくとも一方が所定の閾値を超えたか否かを示す情報でもよい。図１１は、変形例３における電源装置２０が行う処理の一例を示すフローチャートである。
【０１２９】
図１１に示すように、電源装置２０の電源側取得部２１は、電源装置２０の設置位置及び姿勢の少なくとも一方を示す情報を取得する（Ｓ４０１）。電源側取得部２１は、取得した情報を用いて、電源装置２０の設置位置及び姿勢の少なくとも一方の、変化量及び変化速度の少なくとも一方を示す情報を算出する。これにより、電源側取得部２１は、電源装置２０の設置位置及び姿勢の少なくとも一方の、変化量及び変化速度の少なくとも一方を示す情報を取得する（Ｓ４０２）。
【０１３０】
電源側取得部２１は、当該変化量及び変化速度の少なくとも一方が所定の閾値を超えたか否かを判断する（Ｓ４０３）。所定の閾値は、把握したい電源装置２０の状態に応じて、適宜決定されればよい。
【０１３１】
電源側取得部２１は、当該変化量及び変化速度の少なくとも一方が当該閾値を超えたと判断した場合（Ｓ４０３でＹｅｓ）、電源装置２０の位置に関連する情報として、当該変化量及び変化速度の少なくとも一方が当該閾値を超えたことを示す情報を取得する（Ｓ４０４）。電源側取得部２１は、当該変化量及び変化速度の少なくとも一方が当該閾値を超えていないと判断した場合（Ｓ４０３でＮｏ）、電源装置２０の位置に関連する情報として、当該変化量及び変化速度の少なくとも一方が当該閾値を超えていないことを示す情報を取得する（Ｓ４０５）。このように、電源側取得部２１は、電源装置２０の位置に関連する情報として、電源装置２０の設置位置及び姿勢の少なくとも一方の、変化量及び変化速度の少なくとも一方が所定の閾値を超えたか否かを示す情報を取得する。
【０１３２】
電源側取得部２１は、当該変化量及び変化速度の少なくとも一方が当該閾値を超えたことを示す情報を取得した場合（Ｓ４０４）に、警報を発信する（Ｓ４０６）。電源側取得部２１は、例えば、当該情報を取得した場合に、大きな音を発する、高い音を発する、赤色等の目立つ光を発する、明るい光を発する、画面に警告を表示する等により、警報を発信してもよい。電源側取得部２１は、災害の程度に応じて、音の大きさまたは高さ（周波数）、光の色または明るさ、画面への表示態様等を変化させてもよい。
【０１３３】
そして、電源装置２０の電源側送信部２２は、サーバ１０へ、当該位置に関連する情報として、電源装置２０の設置位置及び姿勢の少なくとも一方の、変化量及び変化速度の少なくとも一方が所定の閾値を超えたか否かを示す情報を送信する（Ｓ４０７）。
【０１３４】
電源装置２０の設置位置の変化量が所定の閾値を超えたか否かを示す情報が取得できれば、電源装置２０が大きく移動したか否かが把握できる。このため、電源装置２０に大きな不具合が発生したか否か、電源装置２０の周囲で大きな災害が発生したか否か等を判断する指標とすることができる。
【０１３５】
電源装置２０が、自装置の設置位置の変化量が所定の閾値を超えたか否かを示す情報をサーバ１０へ送信すれば、サーバ１０が、電源装置２０の設置位置の変化量が所定の閾値を超えたか否かを示す情報を取得できる。このため、サーバ１０が、電源装置２０が大きく移動したか否を把握できる。サーバ１０が、電源装置２０が大きく移動したか否を把握できれば、サーバ１０が、電源装置２０に大きな不具合が発生したか否か、電源装置２０の周囲で大きな災害が発生したか否か等を判断する指標とすることができる。具体例としては、上述した通りである。
【０１３６】
電源装置２０の設置位置の変化速度が所定の閾値を超えたか否かを示す情報、電源装置２０の姿勢の変化量が所定の閾値を超えたか否かを示す情報、及び、電源装置２０の姿勢の変化速度が所定の閾値を超えたか否かを示す情報が取得できた場合についても、同様である。
【０１３７】
電源側取得部２１が、電源装置２０の設置位置の変化量が所定の閾値を超えたか否かを判断する機能を有しているので、電源装置２０の設置位置の変化量が所定の閾値を超えたか否かを示す情報を、容易に取得できる。電源側取得部２１が、電源装置２０の設置位置の変化速度が所定の閾値を超えたか否かを示す情報、電源装置２０の姿勢の変化量が所定の閾値を超えたか否かを示す情報、及び、電源装置２０の姿勢の変化速度が所定の閾値を超えたか否かを示す情報を取得する場合についても、同様である。
【０１３８】
電源側取得部２１が、電源装置２０の設置位置の変化量が所定の閾値を超えたことを示す情報を取得した場合に、警報を発信することで、電源装置２０が大きく移動した場合に、警報が発せられる。これにより、電源装置２０に大きな不具合が発生したり、電源装置２０の周囲で大きな災害が発生したりした場合に、警報を発信することができる。電源側取得部２１が、電源装置２０の設置位置の変化速度が所定の閾値を超えたことを示す情報、電源装置２０の姿勢の変化量が所定の閾値を超えたことを示す情報、及び、電源装置２０の姿勢の変化速度が所定の閾値を超えたことを示す情報を取得した場合についても、同様である。
【０１３９】
電源側取得部２１は、当該警報を発信しなくてもよい。電源装置２０の電源側送信部２２は、当該変化量及び変化速度の少なくとも一方が当該閾値を超えた場合に、サーバ１０へ、警報を発信（警報を示す信号を送信）してもよい。
【０１４０】
電源側送信部２２が、電源装置２０の設置位置の変化量が所定の閾値を超えた場合に、サーバ１０へ警報を発信することで、電源装置２０が大きく移動した場合に、サーバ１０へ警報が発せられる。これにより、電源装置２０に大きな不具合が発生したり、電源装置２０の周囲で大きな災害が発生したりした場合に、サーバ１０へ警報を発信できる。
【０１４１】
サーバ１０は、電源装置２０から警報を受信した場合には、例えば、大きな音を発する、高い音を発する、赤色等の目立つ光を発する、明るい光を発する、画面に警告を表示する等により、警報を発信してもよい。サーバ１０は、災害の程度に応じて、音の大きさまたは高さ、光の色または明るさ、画面への表示態様等を変化させてもよい。
【０１４２】
電源装置２０の設置位置の変化速度が所定の閾値を超えた場合、電源装置２０の姿勢の変化量が所定の閾値を超えた場合、及び、電源装置２０の姿勢の変化速度が所定の閾値を超えた場合についても、同様である。
【０１４３】
（その他の変形例）
上記実施の形態及びその変形例では、電源装置２０は、バックアップ用電源として用いられる電源装置としたが、電源装置２０は、バックアップ用電源以外の電源装置でもよい。
【０１４４】
上記実施の形態及びその変形例では、電源装置２０は、取得した電源装置２０の位置に関連する情報をサーバ１０へ送信したが、これには限定されず、当該情報をサーバ１０へ送信しなくてもよい。この場合でも、電源装置２０は、取得した当該情報に基づいて警報を発信したりすることで、電源装置２０を適切に管理できる等の効果を奏する。
【０１４５】
上記実施の形態及びその変形例では、電源装置２０及びサーバ１０は、電源側記憶部２３及びサーバ側記憶部１３を有しており、各種情報を電源側記憶部２３及びサーバ側記憶部１３に記憶させる。しかし、電源側記憶部２３及びサーバ側記憶部１３に記憶される情報は、上記の情報には限定されない。または、電源装置２０及びサーバ１０は、電源側記憶部２３及びサーバ側記憶部１３を備えず、電源側記憶部２３及びサーバ側記憶部１３の代わりに外部装置の記録媒体を使用してもよい。
【０１４６】
電源装置管理システム１、電源装置２０、または、サーバ１０が備える処理部は、集積回路であるＬＳＩ（Large Scale Integration）としても実現できる。当該集積回路が備える各処理部は、個別に１チップ化されても良いし、一部または全てを含むように１チップ化されても良い。ここでは、ＬＳＩとしたが、集積度の違いにより、ＩＣ、システムＬＳＩ、スーパーＬＳＩ、ウルトラＬＳＩと呼称されることもある。集積回路化の手法はＬＳＩに限るものではなく、専用回路または汎用プロセッサでもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用しても良い。半導体技術の進歩または派生する別技術によりＬＳＩに置き換わる集積回路化の技術が登場すれば、当然、その技術を用いて機能ブロックの集積化を行ってもよい。バイオ技術の適応等が可能性としてあり得る。
【０１４７】
本発明は、このような電源装置管理システム１、電源装置２０、及び、サーバ１０として実現できるだけでなく、電源装置管理システム１、電源装置２０、または、サーバ１０が行う特徴的な処理をステップとする方法としても実現できる。
【０１４８】
本発明は、上記方法に含まれる特徴的な処理をコンピュータ（プロセッサ）に実行させるプログラムとして実現したり、当該プログラムが記録されたコンピュータ（プロセッサ）読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリ、フラッシュメモリ、磁気記憶装置、光ディスク、紙テープなどあらゆる媒体として実現できる。そして、そのようなプログラムは、ＣＤ−ＲＯＭ等の記録媒体及びインターネット等の伝送媒体を介して流通させることができる。
【０１４９】
上記実施の形態及びその変形例に含まれる構成要素を任意に組み合わせて構築される形態も、本発明の範囲内に含まれる。
【産業上の利用可能性】
【０１５０】
本発明は、電源装置を適切に管理できるサーバ等に適用できる。
【符号の説明】
【０１５１】
１  電源装置管理システム
１０  サーバ
１１  サーバ側取得部
１２  サーバ側送信部
２０  電源装置
２１  電源側取得部
２２  電源側送信部
３０  通信ネットワーク
４０  地図管理装置
【図１】
2019126256.tif 000003
【図２】
2019126256.tif 000004
【図３】
2019126256.tif 000005
【図４】
2019126256.tif 000006
【図５】
2019126256.tif 000007
【図６】
2019126256.tif 000008
【図７】
2019126256.tif 000009
【図８】
2019126256.tif 000010
【図９】
2019126256.tif 000011
【図１０】
2019126256.tif 000012
【図１１】
2019126256.tif 000013